(57)【要約】【課題】粒状物を取り出す操作が従来のものとは大きく異なるうえ粒状物を簡単に取り出すことができる粒状物収納容器を提供する。【解決手段】本発明の粒状物収納容器は、底壁１と天壁２とを取り囲んで粒状物Ｔの収納空間Ｓを形成する周壁３を有し、周壁３に粒状物Ｔの取出口４を備え、底壁１は傾斜部５を介して底壁１に連結し所定数の粒状物Ｔをその上面に載置する段部６と支持部９とを有し、支持部９は、ヒンジ部１０を介して揺動可能に連結するとともに天壁２に設けた開口１９を通して下方に押圧可能となる操作部１１を有し、操作部１１は、段部６の上面よりも上方に位置する上昇姿勢に変位する一方、操作部１１を下方に向けて押圧することで段部６と取出口４との間をつなげる下降姿勢に変位する連結部１４を有することを特徴とする。【選択図】図１
2015227191.tif 000002
【特許請求の範囲】
【請求項１】
底壁と該底壁に対向する天壁とを取り囲んで粒状物の収納空間を形成する周壁を有し、該周壁に粒状物の取出口を備える粒状物収納容器であって、
前記底壁は、該底壁に連結し所定数の粒状物をその上面に載置する段部と、該底壁から上方に向けて延在する支持部とを有し、
該支持部は、該支持部の上部においてヒンジ部を介して揺動可能に連結するとともに前記天壁に設けた開口を通して下方に押圧可能となる操作部を有し、
前記操作部は、該段部の上面よりも上方に位置する上昇姿勢に変位する一方、該操作部を下方に向けて押圧することで該段部と前記取出口との間をつなげる下降姿勢に変位する連結部を有する粒状物収納容器。
【請求項２】
前記連結部は、前記上昇姿勢において前記取出口を閉鎖する蓋部を有する請求項１に記載の粒状物収納容器。
【請求項３】
前記操作部は、前記ヒンジ部と前記連結部との間に設けられ、該操作部への押圧によって該操作部を折り曲げる屈曲部を有する請求項１又は２に記載の粒状物収納容器。
【請求項４】
前記連結部は、下方に向けて延在し、前記上昇姿勢において前記段部の上面に載置される粒状物の該連結部に向かう進行を阻止する粒状物ストッパーを有する請求項１〜３の何れか一項に記載の粒状物収納容器。
【請求項５】
前記底壁は、前記操作部への押圧によって、該連結部の上面が前記段部の上面に揃う位置で前記連結部に当接する連結部ストッパーを有する請求項１〜４の何れか一項に記載の粒状物収納容器。
【発明の詳細な説明】
【技術分野】
【０００１】
本発明は、粒状物を収納する粒状物収納容器に関するものである。
【背景技術】
【０００２】
従来、例えば球形状や扁平円形状をなす、菓子や薬剤等の粒状物を収納する粒状物収納容器としては、特許文献１に示すような、一対の側壁４を帯状連結壁５で連結するとともに帯状の窓孔６を穿設してなるケース本体２と、窓孔６においてケース本体２に回動可能に連結する蓋体３とを備えるものが知られている。
【０００３】
また特許文献２には、粒状物の収納部Ａを有するケース本体２と、ケース本体２の頂部開口縁にヒンジ１１を介して連結する蓋体３とを備えるものが示されている。
【先行技術文献】
【特許文献】
【０００４】
【特許文献１】特開２００２−１２８１１８号公報
【特許文献２】特開２００５−０５３５０７号公報
【発明の概要】
【発明が解決しようとする課題】
【０００５】
このように従来の粒状物収納容器は、容器の周壁側に配置される蓋体を、容器の外側に飛び出すように揺動させることで開蓋できる構成を採用することが一般的である。ところで市場では、分野を問わず新たな商品が常に求められていて、特に粒状物収納容器においては、粒状物を取り出す操作が従来のものとは大きく異なるとともに操作性は損なわれることがないものが強く求められている。
【０００６】
本発明は、このような点を解決することを課題とするものであり、粒状物を取り出す操作が従来のものとは大きく異なるうえ粒状物を簡単に取り出すことができる、新たな粒状物収納容器を提案するところにある。
【課題を解決するための手段】
【０００７】
本発明は、底壁と該底壁に対向する天壁とを取り囲んで粒状物の収納空間を形成する周壁を有し、該周壁に粒状物の取出口を備える粒状物収納容器であって、
前記底壁は、該底壁に連結し所定数の粒状物をその上面に載置する段部と、該底壁から上方に向けて延在する支持部とを有し、
該支持部は、該支持部の上部においてヒンジ部を介して揺動可能に連結するとともに前記天壁に設けた開口を通して下方に押圧可能となる操作部を有し、
前記操作部は、該段部の上面よりも上方に位置する上昇姿勢に変位する一方、該操作部を下方に向けて押圧することで該段部と前記取出口との間をつなげる下降姿勢に変位する連結部を有する粒状物収納容器である。
【０００８】
前記連結部は、前記上昇姿勢において前記取出口を閉鎖する蓋部を有することが好ましい。
【０００９】
前記操作部は、前記ヒンジ部と前記連結部との間に設けられ、該操作部への押圧によって該操作部を折り曲げる屈曲部を有することが好ましい。
【００１０】
前記連結部は、下方に向けて延在し、前記上昇姿勢において前記段部の上面に載置される粒状物の該連結部に向かう進行を阻止する粒状物ストッパーを有することが好ましい。
【００１１】
前記底壁は、前記操作部への押圧によって、該連結部の上面が前記段部の上面に揃う位置で前記連結部に当接する連結部ストッパーを有することが好ましい。
【発明の効果】
【００１２】
本発明によれば、蓋体が容器の周壁から外側に飛び出すようにして開蓋する従来のものとは異なり、天壁に設けた開口を通して操作部を押圧することで、周壁に設けた取出口から粒状物を取り出すことができる。また、操作部を押圧する一度の操作で粒状物を取り出すことができるので、操作性が損なわれることはない。しかも、収納空間の粒状物は、所定の数に制限されることになる段部の上面に一旦載置させた後に取り出されるので、一度に多量の粒状物が排出されてしまう不具合が起こりにくくなる。
【００１３】
連結部に、上昇姿勢において取出口を閉鎖する蓋部を設ける場合は、保管時に塵等が収納空間に入り難くなる。
【００１４】
操作部に、ヒンジ部と連結部との間に設けられ、操作部への押圧によってこの操作部を折り曲げる屈曲部を設ける場合は、屈曲部を挟んでヒンジ部側の操作部は傾斜する場合でも、反対側の操作部とこの操作部につながる連結部は、段部の上面に対して平行にさせることができるので、段部に載置した粒状物を連結部へスムーズに移動させることができる。
【００１５】
連結部に、下方に向けて延在し、上昇姿勢において段部の上面に載置される粒状物の連結部に向かう進行を阻止する粒状物ストッパーを設ける場合は、段部に移動した粒状物が連結部側に落下する不具合を防止することができる。
【００１６】
底壁に、操作部への押圧によって、連結部の上面が段部の上面に揃う位置で連結部に当接する連結部ストッパーを設ける場合は、連結部と段部の高さが等しくなるので、段部に載置した粒状物を連結部へよりスムーズに移動させることができる。
【図面の簡単な説明】
【００１７】
【図１】本発明に従う粒状物収納容器の一実施形態につき、（ａ）は平面図であり、（ｂ）は左側面図である。
【図２】図１に示すＡ−Ａに沿う断面図である。
【図３】（ａ）は図１に示すＢ−Ｂに沿う断面図であり、（ｂ）は（ａ）の状態から操作部を押圧した状態を示す図である。
【図４】図１に示すＣ−Ｃに沿う断面図である。
【図５】図１に示すＤ−Ｄに沿う断面図である。
【図６】図１に示す容器本体につき、（ａ）は平面図であり、（ｂ）は左側面図であり、（ｃ）は（ａ）に示すＥ−Ｅに沿う断面図である。
【図７】図１に示す蓋体につき、（ａ）は平面図であり、（ｂ）は左側面図であり、（ｃ）は右側面図であり、（ｄ）は（ａ）に示すＦ−Ｆに沿う断面図である。
【発明を実施するための形態】
【００１８】
以下、図面を参照して、本発明をより具体的に説明する。なお、本明細書、特許請求の範囲、要約書において、「上」とは、底壁に対して天壁が位置する側であり、「下」とは、その反対側である。また「前」とは、図１（ａ）において、収納空間に対して操作部が位置する側（図１（ａ）における上側）であり、「後」とはその反対側（図１（ａ）における下側）である。また「左」及び「右」とは、「後」から「前」に向かって見る際の左右方向（図１（ａ）における左側及び右側）である。
【００１９】
図１〜図５は、本発明に従う粒状物収納容器１００の一実施形態を示す図である。本実施形態の粒状物収納容器１００は、底壁１と、この底壁１に対向する天壁２と、底壁１及び天壁２を取り囲む周壁３とを備えるものであり、これらの間には、本実施形態では扁平円形状となる粒状物Ｔを収納するための収納空間Ｓが形成される。また周壁３には、図１（ｂ）、図３（ａ）に示すように粒状物Ｔの取出口４が設けられる。またこの粒状物収納容器１００は、図６に示す容器本体Ａと、図７に示す蓋体Ｂの２つの部材（ともに合成樹脂製）で構成されている。
【００２０】
図１〜図６に示すように、容器本体Ａは、前述の底壁１を備えている。本実施形態の底壁１は、平面視において矩形状となるものである。また底壁１の端縁には、前述の周壁３の一部である下部周壁３ａが設けられている。図６に示すように下部周壁３ａの上面には、蓋体Ｂを嵌合保持するための爪部ｔａが設けられている。更に底壁１の一隅部（前方左側）には、上方に向かう傾斜部５が設けられていて、傾斜部５の上端には、水平方向に延在する段部６が設けられている（図５参照）。段部６は、所定数の粒状物Ｔが載置できる大きさで形成されていて、本実施形態では１個の粒状物Ｔが載置できるようにしている。また図６に示すように段部６の左側には、段部６の上面よりも高さが高く、下部周壁３ａに沿って傾斜部５の後端まで延在する左側仕切り壁７が設けられ、段部６の右側には、段部６の上面よりも高さが高く、左側仕切り壁７と平行に傾斜部５の後端まで延在するとともに、その後底壁１を横断して右側の下部周壁３ａまで延びる右側仕切り壁８が設けられている。
【００２１】
また底壁１には、右側仕切り壁８の前方右側において、上方に向けて延在する板状の支持部９が設けられている。支持部９には、その上部において薄肉状のヒンジ部１０を介して揺動可能に連結する平板状の操作部１１が設けられている。本実施形態の操作部１１は、図６に示すように容器本体Ａの右側部から外方に突出するようにした状態で成形されるものであって、ヒンジ部１０で折り曲げるようにして蓋体Ｂと組み合わせている（図２参照）。また操作部１１は、図２に示すようにその下面において、ヒンジ部１０と同方向に延在する薄肉状の屈曲部１２を備えていて、その上面には、凹状に凹ませた円形状の指当て部１３を備えている。
尚、屈曲部１２は、図２の状態で操作部１１の左側近傍に形成しており、屈曲部１２の構造については限定されない。例えば、操作部１１の肉厚を変えずに段部や湾曲部を設けて折り曲げ可能な形態としてもよい。
また、指当て部１３の形状については限定されず、例えば、凸状に突出させた形態でもよい。
【００２２】
更に操作部１１は、屈曲部１２を挟んでヒンジ部１０と反対側に、図３に示すように下方に向けて段差をもって連結する平板状の連結部１４を備えている。連結部１４の下面には、下部周壁３ａに沿って下向きに延在しつつ取出口４を閉鎖する板状の蓋部１５が設けられている。更に連結部１４の下面には、その前後において、下向きに延在する一対のリブ１６が設けられている。
【００２３】
また蓋部１５の直下には、底壁１を凹ませた凹部１７が設けられ、リブ１６の直下には、底壁１から上方に向けて延在するリブ１８（本実施形態では３つ）が設けられている。
【００２４】
蓋体Ｂは、図７に示すように底壁１と同形状になる、前述の天壁２を備えている。天壁２の端縁には、前述の周壁３の一部である上部周壁３ｂを設けている。上部周壁３ｂの前方右側には、上部周壁３ｂを下向きに延長した延長周壁３ｃが設けられていて、上部周壁３ｂの前方左側には、上部周壁３ｂを下方から上方に向けて切り欠くようにして形成した、前述の取出口４が設けられている。上部周壁３ｂの内面には、前述の爪部ｔａに対応する爪部ｔｂが設けられている。
【００２５】
また天壁２には、操作部１１に対応する位置に貫通孔（開口）１９が設けられている。また開口１９の右側には、上部周壁３ｂを下向きに延ばした延長周壁３ｃが設けられている。
【００２６】
このような構成になる容器本体Ａ及び蓋体Ｂの組み立ては、図１〜図５に示すように、操作部１１をヒンジ部１０で内側に折り曲げたのち、爪部ｔａと爪部ｔｂとを嵌め合わせることで終了する。この状態において連結部１４は、折り曲げられたヒンジ部１０が復元しようとする付勢力でもって、図２、図５に示すように段部６の上面よりも上方に位置する上昇姿勢に変位していて（連結部１４の上面が天壁２の下面に当接する）、この時蓋部１５は、図３（ａ）に示すように、取出口４を閉鎖している。また、図２に示すように延長周壁３ｃは、支持部９の右側に位置することになるので、支持部９を覆い隠すことができる。また操作部１１は開口１９から露出して、天壁２と略同一高さに位置することになるので、操作部１１と天壁２とが一体感をもって視認されることになる。このように、本実施形態の粒状物収納容器１００は、全体として凹凸のない直方体状になるように形成しているので、高い美観を呈することができる。
【００２７】
そして、収納空間Ｓから粒状物Ｔを取り出すには、まず粒状物収納容器１００を前方が後方に対して下向きになるように傾け、必要に応じて加振を行う。これにより、収納空間Ｓ内の粒状物Ｔは、左側仕切り壁７及び右側仕切り壁８によって案内されつつ、収納空間Ｓから傾斜部５を経て段部６に移動する。本実施形態では、段部６の上面に粒状物Ｔが１個載置される。なお、図５に示すように本実施形態では、リブ１６によって、段部６上に載置される粒状物Ｔの連結部１４へ向かう進行が阻止されるので（リブ１６が粒状物ストッパーとして機能する）、粒状物Ｔが連結部１４側に落下することはない。
【００２８】
そして、図３（ａ）に示す状態において指を指当て部１３に当て付け、図３（ｂ）に示すように下方に向けて押圧する。これによって操作部１１は屈曲部１２で折れ曲がり、連結部１４は、段部６と取出口４との間をつなげるように下方に向けて移動する。その後、リブ１６がリブ１８に押し当たることで（リブ１８が連結部ストッパーとして機能する）、連結部１４の下方への移動を停止させることができる。ここで、リブ１６がリブ１８に押し当たった状態（連結部１４の下降姿勢）において、屈曲部１２に対して右側（ヒンジ部１０側）の操作部１１は、右側から左側に向かって下方に傾斜することになるものの、屈曲部１２に対して左側の操作部１１及び連結部１４は、段部６の上面に対して平行になる。またこの状態において、連結部１４の上面は段部６の上面に揃う高さに位置するとともに、蓋部１５が下方に向けて移動することで、取出口４が開口する。このため粒状物収納容器１００を、前方が後方に対して下向きになるように傾ければ、段部６に載置した粒状物Ｔを、連結部１４に向けて引っ掛かりなくスムーズに移動させることができる。更にこの状態において連結部１４の上面は、取出口４の下面に揃う高さに位置しているので（図３（ｂ）参照）、粒状物Ｔは、連結部１４と取出口４との間でも引っ掛かることなく移動することができる。
【００２９】
操作部１１への押圧を解除すると、連結部１４は、ヒンジ部１０が復元しようとする付勢力でもって、図３（ａ）に示す上昇姿勢に自動的に変位し、取出口４は蓋部１５で閉鎖される。このため、取出口４は、粒状物Ｔを取り出す場合のみ開くことになるので、収納空間Ｓへの塵の侵入をより確実に防止できるとともに、粒状物Ｔが不用意に排出されることがなくなる。なお、連結部１４の上方には天壁２が位置することになるので、操作部１１が開口１９から抜け出すことはない。
【００３０】
本発明に従う粒状物収納容器は、本実施形態に限定されるものではなく、特許請求の範囲に従う範囲で種々の変更が可能である。例えば上述した実施形態では、リブ１６がリブ１８に押し当たるようにすることによって、リブ１８が連結部ストッパーとして機能するようにしているが、下降した連結部１４の高さを規制する種々の構成が採用可能であり、リブ１８を設けずに、リブ１６が直接底壁１に当たるようにしてもよい。
【産業上の利用可能性】
【００３１】
本発明によれば、粒状物を取り出す操作が従来のものとは大きく異なるうえ粒状物を簡単に取り出すことができる、新規の粒状物収納容器を提供することができる。
【符号の説明】
【００３２】
１  底壁
２  天壁
３  周壁
３ａ  下部周壁
３ｂ  上部周壁
３ｃ  延長周壁
４  取出口
５  傾斜部
６  段部
７  左側仕切り壁
８  右側仕切り壁
９  支持部
１０  ヒンジ部
１１  操作部
１２  屈曲部
１３  指当て部
１４  連結部
１５  蓋部
１６  リブ（粒状物ストッパー）
１７  凹部
１８  リブ（連結部ストッパー）
１９  開口
１００  粒状物収納容器
Ａ  容器本体
Ｂ  蓋体
Ｓ  収納空間
Ｔ  粒状物
ｔａ  爪部
ｔｂ  爪部
【図１】
2015227191.tif 000003
【図２】
2015227191.tif 000004
【図３】
2015227191.tif 000005
【図４】
2015227191.tif 000006
【図５】
2015227191.tif 000007
【図６】
2015227191.tif 000008
【図７】
2015227191.tif 000009